(57)【要約】【課題】  ミシン目状に加工した部分を切り離すことにより、正当な購入者が表示情報を入手することができ、かつ偽造困難なカードを提供することを目的とする。【解決手段】  本発明は、第一基材１００と第二基材２００と第三基材３００が折り線を介して連接されたカード基材からなり、前記折り線を介して前記第二基材２００に対して前記第一基材１００と前記第三基材３００とが観音開き状に折りたたまれてなるカードにおいて、前記第一基材１００と前記第三基材３００の前記第二基材２００と対向する側のそれぞれの面に表示情報が少なくとも一つ印刷され、前記第一基材１００に印刷された領域の表示情報に対応する第二基材２００の領域および前記第二基材２００に印刷された領域の表示情報に対応する第二基材２００の領域のそれぞれに表示情報を表出させる切除可能な窓部を設けたカードにより上記の課題を解決した。【選択図】  図４
2014223775.tif 000002
【特許請求の範囲】
【請求項１】
第一基材と第二基材と第三基材が折り線を介して連接されたカード基材からなり、前記折り線を介して前記第二基材に対して前記第一基材と前記第三基材とが観音開き状に折りたたまれてなるカードにおいて、前記第一基材と前記第三基材の前記第二基材と対向する側のそれぞれの面に表示情報が少なくとも一つ印刷され、前記第一基材に印刷された領域の表示情報に対応する前記第二基材の領域および前記第三基材に印刷された領域の表示情報に対応する前記第二基材の領域のそれぞれに前記表示情報を表出させる切除可能な窓部を設け、前記表示情報が印刷されている領域以外の対向面どうしの少なくとも一部が貼り合わされてなることを特徴とするカード。
【請求項２】
前記表示情報の少なくとも一つが個別認識情報であることを特徴とする請求項１に記載するカード。
【請求項３】
前記窓部の少なくとも対向する二辺の一部にミシン目状の加工を施すことにより、ミシン目状の連接部を設け、前記連接部以外はカット部としたことを特徴とする請求項１または２に記載するカード。
【請求項４】
前記窓部の四辺の一部にミシン目状の加工を施すことにより、ミシン目状の連接部を設け、前記連接部以外はカット部としたことを特徴とする請求項１または２に記載するカード。
【請求項５】
前記窓部の四辺にミシン目状の加工を施すことにより、ミシン目状の連接部を設けたことを特徴とする請求項１または２に記載するカード。
【請求項６】
前記ミシン目状の連接部のアンカット部の長さは１．６ｍｍ以下であることを特徴とする請求項１ないし請求項５のいずれか一項に記載するカード。
【請求項７】
前記ミシン目状の連接部のカット部とアンカット部との割合が１．５±１０％：０．８±１０％であることを特徴とする請求項６に記載するカード。
【請求項８】
前記折り線はミシン目状の折り線、ハーフカット状の折り線、筋押し状の折り線のいずれかであることを特徴とする請求項１ないし７のいずれか一項に記載するカード。
【請求項９】
前記折り線はミシン目状に加工された折り線であって、ミシン目のアンカット部の長さは２．５ｍｍ以下であることを特徴とする請求項８に記載するカード。
【請求項１０】
前記折り線はミシン目状に加工された折り線であって、ミシン目のカット部とアンカット部との割合が１．８±２５％：１．０±２５％であることを特徴とする請求項９に記載するカード。
【請求項１１】
前記折り線は、前記ハーフカット状の折り線が前記表示情報が印刷されている面と反対側の折り線に形成されていることを特徴とする請求項１ないし１０のいずれか一項に記載するカード。
【請求項１２】
前記第一基材と前記第三基材の前記表示情報が印刷されている面と対向する前記第二基材の前記窓部を除く領域の全面に接着剤が塗布されてなることを特徴とする請求項１ないし１１のいずれか一項に記載するカード。
【請求項１３】
前記第一基材と前記第三基材の前記表示情報が印刷されている面と対向する前記第二基材の前記窓部を除く領域の全面が熱融着により貼り合わされてなることを特徴とする請求項１ないし１１のいずれか一項に記載するカード。
【発明の詳細な説明】
【技術分野】
【０００１】
本発明は、カードに関するもので、さらに詳しくは切除可能な窓部を設けたことにより表示情報を目視可能にするカードに関するものである。
【背景技術】
【０００２】
プリペイドカード（Ｐｒｅｐａｉｄ  Ｃａｒｄ）とは、あらかじめ入金して積み立てておく形のいわゆる前払い方式のカード型有価証券である。事前に代金を支払って購入するため、この名前がついており、商品券と異なり残額がなくなるまで繰り返し利用できる。発行者側には、全額使われないままに終わるカードがあることや使用完了までの間に資金運用が可能などの利点があり、利用者側には、小銭を持ち歩く必要がなく軽くて持ち運びやすく、カードによってはプレミアムがついているなどの利点がある。
【０００３】
基本的には磁気で記録するカードであるため、記録するデータ量がそれほど多くなく、市販のカードリーダ／ライタで偽造が行われやすい。そのため高額カードの発売停止やプリペイドカードシステムそのものが廃止されたものもある。
【０００４】
最近では、磁気式ではなくスクラッチ印刷で暗証番号を隠蔽して発行されたプリペイドカードが使用されている。プリペイドカードの裏面のバーコードをＰＯＳ（販売時点情報管理）レジに通し、購入処理が行われたことによってプリペイドカードの残高が有効になるシステム（ＰＯＳＡ（Ｐｏｉｎｔ  Ｏｆ  Ｓａｌｅｓ  Ａｃｔｉｖａｔｉｏｎ）方式）が導入されたことにより、カード式の販売が再び行われるようになってきている。
【０００５】
上記に記載されたプリペイドカードは、暗証番号の上にスクラッチ層を形成して、透過光により暗証番号を不正に読取ったり、流通過程において暗証番号が不正に使用されたりしないようにしている。従ってスクラッチ層を形成したプリペイドカードは、削られて剥離すると修復不可能なため信頼性のあるプリペイドカードとして一般に流通している。
【０００６】
特許文献１には、磁気テープまたはＩＣメモリからなる情報収納部と磁性粉が含有されたマイクロカプセルからなる記録層を有する磁気表示部とを備えたプリペイドカードが開示されている。特許文献１では、プリペイドカードを見ただけで、カードの情報内容を目視にて容易かつ確実に確認できることが特徴である。
【０００７】
特許文献２には、カードの一部に暗証領域が定義され、暗証領域内の所定の部分に暗証コードが表示されており、暗証コードを隠蔽する機能を持った引っ掻くことにより剥離除去可能なスクラッチ層が形成されているプリペイドカードが開示されている。特許文献２では、暗証コードの文字の輪郭線内部の領域からなる文字部と、暗証コードの文字の輪郭線外部の領域からなる背景部との明度値や彩度値を規定していることが特徴である。
【先行技術文献】
【特許文献】
【０００８】
【特許文献１】特開平５−１６５７９号公報
【特許文献２】特許第３８３０６０２号公報
【発明の概要】
【発明が解決しようとする課題】
【０００９】
従来の例えばスクラッチ層を形成したプリペイドカードでは、プリペイドカードを積層・搬送・店頭販売する時にスクラッチ層が削れてしまい表示情報が不正使用されてしまう可能性がある。また、スクラッチシールで形成されたプリペイドカードでは、シールを剥がして表示情報を入手した後再度スクラッチシールを貼付するという不正使用の可能性がある。本発明は、表示情報をスクラッチ加工して隠蔽するのではなく、ミシン目状に加工したカードと同一材料で表示情報を隠蔽し、ミシン目状に加工した部分を切り離すことにより、正当な購入者が表示情報を入手することができ、かつ偽造困難なカードを提供することを目的とする。
【課題を解決するための手段】
【００１０】
そこで、本発明に係わるカードは、以下の各発明により上記課題を解決した。なお、以下の各発明に付した括弧内の符号は、図面に付した符号と対応している。
【００１１】
本発明に係わる第１の発明は、第一基材（１００）と第二基材（２００）と第三基材（３００）が折り線（Ｘ、Ｙ）を介して連接されたカード基材からなり、前記折り線（Ｘ、Ｙ）を介して前記第二基材（２００）に対して前記第一基材（１００）と前記第三基材（３００）とが観音開き状に折りたたまれてなるカード（１０）において、前記第一基材（１００）と前記第三基材（３００）の前記第二基材（２００）と対向する側のそれぞれの面に表示情報（Ａ、Ｂ）が少なくとも一つ印刷され、前記第一基材（１００）に印刷された領域の表示情報（Ａ）に対応する前記第二基材（２００）の領域および前記第三基材（３００）に印刷された領域の表示情報（Ｂ）に対応する前記第二基材（２００）の領域のそれぞれに前記表示情報（Ａ、Ｂ）を表出させる切除可能な窓部（１１、１２）を設け、前記表示情報（Ａ、Ｂ）が印刷されている領域以外の対向面どうしの少なくとも一部が貼り合わされてなることを特徴とするカード（１０）である。    
【００１２】
本発明に係わる第２の発明は、第１の発明において、前記表示情報（Ａ、Ｂ）の少なくとも一つが個別認識情報であることを特徴とするカード（１０）である。
【００１３】
本発明に係わる第３の発明は、第１の発明または第２の発明において、前記窓部（１１、１２）の少なくとも対向する二辺の一部にミシン目状の加工を施すことにより、ミシン目状の連接部を設け、前記連接部以外はカット部としたことを特徴とするカード（１０）である。
【００１４】
本発明に係わる第４の発明は、第１の発明または第２の発明において、前記窓部（１１、１２）の四辺の一部にミシン目状の加工を施すことにより、ミシン目状の連接部を設け、前記連接部以外はカット部としたことを特徴とするカード（１０）である。    
【００１５】
本発明に係わる第５の発明は、第１の発明または第２の発明において、前記窓部（１１、１２）の四辺にミシン目状の加工を施すことにより、ミシン目状の連接部を設けたことを特徴とするカード（１０）である。
【００１６】
本発明に係わる第６の発明は、第１の発明ないし第５の発明のいずれか１つの発明において、前記ミシン目状の連接部のアンカット部の長さは１．６ｍｍ以下であることを特徴とするカード（１０）である。    
【００１７】
本発明に係わる第７の発明は、第６の発明において、前記ミシン目状の連接部のカット部とアンカット部との割合が１．５±１０％：０．８±１０％であることを特徴とするカード（１０）である。
【００１８】
本発明に係わる第８の発明は、第１の発明ないし第７の発明のいずれか１つの発明において、前記折り線（Ｘ、Ｙ）はミシン目状の折り線、ハーフカット状の折り線、筋押し状の折り線のいずれかであることを特徴とするカード（１０）である。
【００１９】
本発明に係わる第９の発明は、第８の発明において、前記折り線（Ｘ、Ｙ）はミシン目状に加工された折り線（Ｘ、Ｙ）であって、ミシン目のアンカット部の長さは２．５ｍｍ以下であることを特徴とするカード（１０）である。
【００２０】
本発明に係わる第１０の発明は、第９の発明において、前記折り線（Ｘ、Ｙ）はミシン目状に加工された折り線（Ｘ、Ｙ）であって、ミシン目のカット部とアンカット部との割合が１．８±２５％：１．０±２５％であることを特徴とするカード（１０）である。
【００２１】
本発明に係わる第１１の発明は、第１の発明から第１０の発明のいずれか１つの発明において、前記ハーフカット状の折り線（Ｘ、Ｙ）が前記表示情報（Ａ、Ｂ）が印刷されている面と反対側の折り線（Ｘ、Ｙ）に形成されていることを特徴とするカード（１０）である。
【００２２】
本発明に係わる第１２の発明は、第１の発明から第１１の発明のいずれか１つの発明において、前記第一基材（１００）と前記第三基材（３００）の前記表示情報（Ａ、Ｂ）が印刷されている面と対向する前記第二基材（２００）の前記窓部（１１，１２）を除く領域の全面に接着剤が塗布されてなることを特徴とするカード（１０）である。
【００２３】
本発明に係わる第１３の発明は、第１の発明から第１１の発明のいずれか１つの発明において、前記第一基材（１００）と前記第三基材（３００）の前記表示情報（Ａ、Ｂ）が印刷されている面と対向する前記第二基材（２００）の前記窓部（１１，１２）を除く領域の全面が熱融着により貼り合わされてなることを特徴とするカード（１０）である。
【発明の効果】
【００２４】
窓部のミシン目状連接部は、切り取ってカードから剥がすので、切除した後で再度貼り付けるのは不可能であり、接着剤等で切除した部分を貼り合わせた場合、接着剤等の痕跡が残るので偽造したことが明確になるという効果がある。また、窓部はカードと同一材料を用いているため、カードの積層・搬送・店頭販売時に窓部が削れて下層にある表示情報が目視可能とならないという効果もある。    
【図面の簡単な説明】
【００２５】
【図１】本発明に係わるカードにおけるカードの見開き図である。
【図２】本発明に係わるカードにおいて図１と反対面のカードの見開き図である。
【図３】本発明に係わるカードにおけるカードの見開き図の別の一例である。
【図４】本発明に係わるカードにおける折り畳むときの図である。
【図５】本発明に係わるカードにおける折り畳んだ状態の平面図の一例である。
【図６】本発明に係わるカードにおける折り畳んだ状態の平面図の別の一例である。
【図７】本発明に係わるカードにおける折り畳んだ状態の平面図の別の一例である。
【図８】本発明に係わるカードにおける折り畳んだ状態の平面図の別の一例である。
【発明を実施するための形態】
【００２６】
次に、本発明の実施形態について、図面を参照して詳述する。
【００２７】
図１は、本発明に係わるカードにおけるカードの見開き図である。図１で１０はカード、１１、１２は窓部、１００は第一基材、２００は第二基材、３００は第三基材、Ａ、Ｂは表示情報、ＸとＹは折り線である。
【００２８】
第一基材１００と第二基材２００と第三基材３００は、カードの担体となる基材である。第一基材１００と第二基材２００と第三基材３００の材料としては、例えば、ポリ塩化ビニル（ＰＶＣ）、ポリメチルメタクリレート（ＰＭＭＡ）、ポリエチレンテレフタレート（ＰＥＴ）、アクリロニトリルーブタジエンースチレン樹脂（ＡＢＳ）、ポリオレフィン、非結晶性ポリエチレンテレフタレート（ＰＥＴ−Ｇ）、ポリカーボネート、アクリロニトリルースチレン共重合体、セルロースプロピオネート、セルロースアセテートブチレート等のプラスチック材料、アート紙、コート紙、合成紙などの厚紙が好適に用いられる。第一基材１００、第二基材２００、第三基材３００の厚みとしては１００μｍ〜２００μｍが好ましい。
【００２９】
表示情報Ａ、Ｂは、文字データ、画像データ、コード、マーク等である。表示情報Ａ、Ｂには、国際電話カードに用いられる暗証番号のようにカードごとに異なる可変情報（個別認識情報）が多いが、固定情報でもよい。
【００３０】
可変情報を印刷するプリンターとしては、ドットインパクトプリンター（ドットマトリクスプリンター）、サーマルプリンター、インクジェットプリンター、レーザープリンターなどがある。
【００３１】
固定情報の印刷としては、オフセット印刷、シルク印刷、活版印刷などがある。
【００３２】
第一基材１００と第三基材３００の窓部１１、１２を除く領域の全面に塗布するときに用いられる接着剤としては、ウレタン系、エポキシ系、アクリル系、ビニル系、アミド系など従来既知のものが使用できる。本発明の接着剤にはホットメルト接着剤あるいは水糊を好適に使用することができ、ホットメルト接着剤をＴ−ダイにて塗布しておき、平プレス又はロールプレスにて熱プレスして接着する方法がある。その他グラビアコート、フローコート、コンマコート等の方法を用いて形成する。また、接着剤を使用せずに両面テープで第一基材１００および第三基材３００を第二基材２００に貼り合わせてもよい。
【００３３】
窓部１１、１２は、カード１０を作成したときに表示情報Ａ、Ｂが隠蔽されるような大きさであればよく、一般的には四角の形状であるがこれに限定されるものではない。窓部１１、１２のミシン目状の加工は、四角の形状の場合、四辺全てをミシン目状に加工してもよく、四辺の中央一部分にミシン目状の連接部を形成してもよい。ミシン目状の連接部は、窓部１１、１２を爪先で剥がしやすいように少なくとも二辺以上に形成するとよい。
【００３４】
カード１０は、後述のＪＩＳサイズのカード１０を用い、折り線Ｘ、Ｙでミシン目状、ハーフカット状あるいは筋押し状に加工されている。
【００３５】
図２は、本発明に係わるカードにおいて図１と反対面のカードの見開き図である。
すなわち図１の裏面の見開き図である。カード１０は本発明では主にプリペイドカードについて記載しているが、プリペイドカードに必ずしも限定されるものではなくＰＯＳＡカード、ギフトカード、クレジットカード、キャッシュカード、ＩＤカード、定期券、回数券、通行券、遊戯券、飲食券、商品券、給油券、洗車券、買物券として広く用いることが可能である。
【００３６】
図３は、本発明に係わるカードにおけるカードの見開き図の別の一例である。図３において、１３、１４は窓部、Ｃ、Ｄは表示情報を表している。表示情報（Ａ、Ｂ、Ｃ、Ｄ）は図では全部で４個記載されているが、用途によって表示情報の個数を増やしてもよい。
【００３７】
図４は、本発明に係わるカードにおける折り畳むときの図である。図４は、観音開きの状態のカード１０を折り畳む過程の図を表したものである。図４で第一基材１００と第三基材３００とのそれぞれの端辺Ｚは、完全に閉じられたときには密着された状態になる。
【００３８】
図５は、本発明に係わるカードにおける折り畳むときの図の別の一例である。図５では、第一基材１００と第三基材３００とは異なる割合で分割されていてもよい。
【００３９】
図６は、本発明に係わるカードにおける折り畳んだ状態の平面図の一例である。図６では、第一基材１００と第三基材３００とは斜線状に接していてもよい。
【００４０】
図７は、本発明に係わるカードにおける折り畳んだ状態の平面図の別の一例である。図７では、第一基材１００と第三基材３００とが折れ線状に接していてもよい
【００４１】
図８は、本発明に係わるカードにおける折り畳んだ状態の平面図の別の一例である。図８では、第一基材１００と第三基材３００とが曲線状に接していてもよい。
【００４２】
以下、具体的な実施例および変形例について説明する。
【００４３】
（実施例１）
基材は、厚さ０．１８８ｍｍのポリエチレンテレフタレート（ＰＥＴ）を使用した。
縦５３．９８ｍｍ、横８５．６０ｍｍサイズのカードで、ＩＳＯ（ＩＳＯ／ＩＥＣ７８１０）やＪＩＳ（ＪＩＳ６３０１） によって規定されているカードを使用し、折り線Ｘ、Ｙをミシン目状に加工した。
折り線Ｘ、Ｙのミシン目状のカット部とアンカット部を下記のようにして作製した。
カット部：アンカット部＝１．８ｍｍ：１．０ｍｍ
【００４４】
次に、第一基材１００と第三基材３００に形成される表示情報Ａ、Ｂをサーマルプリンターで印刷した。
【００４５】
次に、第一基材１００と第三基材３００の表示情報Ａ、Ｂが印刷されている領域に対応する第二基材２００の領域に表示情報Ａ、Ｂより大きめに設計した窓部１１、１２を作製した。
【００４６】
窓部１１、１２の四辺全てにミシン目状の連接部となる部分のカット部とアンカット部を下記のようにして作製した。
カット部：アンカット部＝１．５ｍｍ：０．８ｍｍ
【００４７】
第一基材１００と第三基材３００の表示情報Ａ、Ｂ以外の領域にホットメルト接着剤（ＭＯＲＥＳＣＯ社製、ＴＮ−５５６Ｚ（商品名））を塗布した。
【００４８】
表示情報Ａ、Ｂと窓部１１、１２とが合わさるように第一基材１００と第三基材３００とを図１の折り線Ｘ、Ｙで折り曲げて貼り合わせるようにしてカード１０を作製した。
【００４９】
（実施例２）
基材は、厚さ０．１８８ｍｍのポリエチレンテレフタレート（ＰＥＴ）を使用した。
縦５３．９８ｍｍ、横８５．６０ｍｍサイズのカードで、ＩＳＯ（ＩＳＯ／ＩＥＣ７８１０）やＪＩＳ（ＪＩＳ６３０１） によって規定されているカードを使用し、折り線Ｘ、Ｙをミシン目状に加工した。
折り線Ｘ、Ｙのミシン目状のカット部とアンカット部を下記のようにして作製した。
カット部：アンカット部＝１．８ｍｍ：１．０ｍｍ
【００５０】
次に、第一基材１００と第三基材３００に形成される表示情報Ａ、Ｂをサーマルプリンターで印刷した。
【００５１】
次に、第一基材１００と第三基材３００の表示情報Ａ、Ｂが印刷されている領域に対応する第二基材２００の領域に表示情報Ａ、Ｂより大きめに設計した窓部１１、１２を作製した。
【００５２】
窓部１１、１２の対向する二辺にミシン目状の連接部となる部分のカット部とアンカット部を下記のようにして作製した。
カット部：アンカット部＝１．５ｍｍ：０．８ｍｍ
【００５３】
第一基材１００と第三基材３００の表示情報Ａ、Ｂ以外の領域にホットメルト接着剤（ＭＯＲＥＳＣＯ社製、ＴＮ−５５６Ｚ（商品名））を塗布した。
【００５４】
表示情報Ａ、Ｂと窓部１１、１２とが合わさるように第一基材１００と第三基材３００とを図１の折り線Ｘ、Ｙで折り曲げて貼り合わせるようにしてカード１０を作製した。
【００５５】
（実施例３）
基材は、厚さ０．１８８ｍｍのポリエチレンテレフタレート（ＰＥＴ）を使用した。
縦５３．９８ｍｍ、横８５．６０ｍｍサイズのカードで、ＩＳＯ（ＩＳＯ／ＩＥＣ７８１０）やＪＩＳ（ＪＩＳ６３０１） によって規定されているカードを使用し、折り線Ｘ、Ｙをミシン目状に加工した。
折り線Ｘ、Ｙのミシン目状のカット部とアンカット部を下記のようにして作製した。
カット部：アンカット部＝１．８ｍｍ：１．０ｍｍ
【００５６】
次に、第一基材１００と第三基材３００に形成される表示情報Ａ、Ｂ、Ｃ、Ｄをサーマルプリンターで印刷した。
【００５７】
次に、第一基材１００と第三基材３００の表示情報Ａ、Ｂ、Ｃ、Ｄが印刷されている領域に対応する第二基材２００の領域に表示情報Ａ、Ｂ、Ｃ、Ｄより大きめに設計した窓部１１、１２、１３、１４を作製した。
【００５８】
窓部１１、１２、１３、１４の四辺全てにミシン目状の連接部となる部分のカット部とアンカット部を下記のようにして作製した。
カット部：アンカット部＝１．５ｍｍ：０．８ｍｍ
【００５９】
第一基材１００と第三基材３００の表示情報Ａ、Ｂ、Ｃ、Ｄ以外の領域にホットメルト接着剤（ＭＯＲＥＳＣＯ社製、ＴＮ−５５６Ｚ（商品名））を塗布した。
【００６０】
表示情報Ａ、Ｂ、Ｃ、Ｄと窓部１１、１２、１３、１４とが合わさるように第一基材１００と第三基材３００とを図１の折り線Ｘ、Ｙで折り曲げて貼り合わせるようにしてカード１０を作製した。
【００６１】
（実施例４）
基材は、厚さ０．１８８ｍｍのポリエチレンテレフタレート（ＰＥＴ）を使用した。
縦５３．９８ｍｍ、横８５．６０ｍｍサイズのカードで、ＩＳＯ（ＩＳＯ／ＩＥＣ７８１０）やＪＩＳ（ＪＩＳ６３０１） によって規定されているカードを使用し、折り線Ｘ、Ｙをミシン目状に加工した。
折り線Ｘ、Ｙのミシン目状のカット部とアンカット部を下記のようにして作製した。
カット部：アンカット部＝１．８ｍｍ：１．０ｍｍ
【００６２】
次に、第一基材１００と第三基材３００に形成される表示情報Ａ、Ｂ、Ｃ、Ｄをサーマルプリンターで印刷した。
【００６３】
次に、第一基材１００と第三基材３００の表示情報Ａ、Ｂ、Ｃ、Ｄが印刷されている領域に対応する第二基材２００の領域に表示情報Ａ、Ｂ、Ｃ、Ｄより大きめに設計した窓部１１、１２、１３、１４を作製した。
【００６４】
窓部１１、１２、１３、１４の対向する二辺にミシン目状の連接部となる部分のカット部とアンカット部を下記のようにして作製した。
カット部：アンカット部＝１．５ｍｍ：０．８ｍｍ
【００６５】
第一基材１００と第三基材３００の表示情報Ａ、Ｂ、Ｃ、Ｄ以外の領域にホットメルト接着剤（ＭＯＲＥＳＣＯ社製、ＴＮ−５５６Ｚ（商品名））を塗布した。
【００６６】
表示情報Ａ、Ｂ、Ｃ、Ｄと窓部１１、１２、１３、１４とが合わさるように第一基材１００と第三基材３００とを図１の折り線Ｘ、Ｙで折り曲げて貼り合わせるようにしてカード１０を作製した。
【００６７】
（変形例１）
カット部とアンカット部との割合は前記実施例１、２、３、４に示した数値に限られるものではなく、以下の範囲で自由に設定することができる。
連接部となる部分のカット部とアンカット部の割合は、
１．５（±１０％）：０．８（±１０％）に設定可能である。
また、折り線Ｘ、Ｙとなる部分のカット部とアンカット部との割合は
・  ８（±２５％）：１．０（±２５％）に設定可能である。
【００６８】
（変形例２）
本発明の実施形態において、第一基材１００、第二基材２００、第三基材３００のそれぞれの形状が四角形のものを例に説明したが、角部を丸く裁断した角丸の四角形でもよい。
【００６９】
（変形例３）
本発明の実施形態において示した窓部（１１、１２，１３、１４）の一部に切り欠け部を設け、窓部（１１、１２、１３，１４）の切除を容易にすることもできる。  
【符号の説明】
【００７０】
１０  カード  
１１  １２  １３  １４  窓部
１００  第一基材
２００  第二基材
３００  第三基材
Ａ  Ｂ  Ｃ  Ｄ  表示情報
Ｘ  Ｙ  折り線
Ｚ    端辺
【図１】
2014223775.tif 000003
【図２】
2014223775.tif 000004
【図３】
2014223775.tif 000005
【図４】
2014223775.tif 000006
【図５】
2014223775.tif 000007
【図６】
2014223775.tif 000008
【図７】
2014223775.tif 000009
【図８】
2014223775.tif 000010